【手続補正書】
【提出日】平成27年12月28日(2015.12.28)
【手続補正１】
【補正対象書類名】明細書
【補正対象項目名】０００９
【補正方法】変更
【補正の内容】
【０００９】
本発明は、メールに添付された暗号化された添付ファイルの暗号化を復号可能な情報処理装置であって、送信元アドレスに対応するパスワードが登録されるパスワードテーブルを管理する管理手段と、メールを受信するユーザの受信メールを取得する取得手段と、前記受信手段により受信された受信メールに添付ファイルが添付されている場合、当該添付ファイルが暗号化されているかを判定する判定手段と、前記判定手段による判定の結果、添付ファイルが暗号化されていると判定された場合、前記管理手段により管理されるパスワードテーブルから、当該暗号化された添付ファイルの送信元アドレスに対応するパスワードを抽出する抽出手段と、前記抽出手段により抽出されたパスワードを用いて、前記暗号化された添付ファイルの暗号化を解除するために復号処理を行う復号手段と、前記ユーザのログイン要求を受け付ける受付手段と、前記受付手段により受け付けたログイン要求に従って、前記復号手段により復号された添付ファイルを含むメール、または、復号していない添付ファイルを含むメールを前記ユーザに送信する送信手段とを有することを特徴とする。
【手続補正２】
【補正対象書類名】特許請求の範囲
【補正対象項目名】全文
【補正方法】変更
【補正の内容】
【特許請求の範囲】
【請求項１】
メールに添付された暗号化された添付ファイルの暗号化を復号可能な情報処理装置であって、
送信元アドレスに対応するパスワードが登録されるパスワードテーブルを管理する管理手段と、
メールを受信するユーザの受信メールを取得する取得手段と、
前記取得手段により取得された受信メールに添付ファイルが添付されている場合、当該添付ファイルが暗号化されているかを判定する判定手段と、
前記判定手段による判定の結果、添付ファイルが暗号化されていると判定された場合、前記管理手段により管理されるパスワードテーブルから、当該暗号化された添付ファイルの送信元アドレスに対応するパスワードを抽出する抽出手段と、
前記抽出手段により抽出されたパスワードを用いて、前記暗号化された添付ファイルの暗号化を解除するために復号処理を行う復号手段と、
前記ユーザのログイン要求を受け付ける受付手段と、
前記受付手段により受け付けたログイン要求に従って、前記復号手段により復号された添付ファイルを含むメール、または、復号していない添付ファイルを含むメールを前記ユーザに送信する送信手段と
を有することを特徴とする情報処理装置。
【請求項２】
前記送信手段は、前記受付手段により受け付けたログイン要求が正当なユーザによるものと判定された場合に、前記復号手段により復号された添付ファイルを含むメールを前記ユーザに送信する
ことを特徴とする請求項１に記載の情報処理装置。
【請求項３】
前記パスワードテーブルには、送信元から通知された当該送信元の送信元アドレスに対応するパスワードが登録され、
前記取得手段により取得する受信メールに添付ファイルが添付されている場合、当該添付ファイルは、当該受信メールの送信元から通知されたパスワードによって暗号化されている
ことを特徴とする請求項１または２に記載の情報処理装置。
【請求項４】
前記パスワードテーブルには、送信元から通知された当該送信元の送信元アドレスに対応する複数のパスワードが登録され、
前記抽出手段は、前記送信元から通知された複数のパスワードのいずれかで暗号化された添付ファイルを復号するべく、前記パスワードテーブルから前記暗号化された添付ファイルの送信元の送信元アドレスに対応する複数のパスワードを抽出し、
前記復号手段は、前記抽出手段により抽出されたそれぞれのパスワードを順次用いて、前記暗号化された添付ファイルの暗号化を解除するために復号処理を行う
ことを特徴とする請求項３に記載の情報処理装置。
【請求項５】
ユーザが受信したメールを表示可能なクライアント端末と、メールに添付された暗号化された添付ファイルの暗号化を復号可能な情報処理装置とが通信可能な情報処理システムであって、
送信元アドレスに対応するパスワードが登録されるパスワードテーブルを管理する管理手段と、
メールを受信するユーザの受信メールを取得する取得手段と、
前記取得手段により取得された受信メールに添付ファイルが添付されている場合、当該添付ファイルが暗号化されているかを判定する判定手段と、
前記判定手段による判定の結果、添付ファイルが暗号化されていると判定された場合、前記管理手段により管理されるパスワードテーブルから、当該暗号化された添付ファイルの送信元アドレスに対応するパスワードを抽出する抽出手段と、
前記抽出手段により抽出されたパスワードを用いて、前記暗号化された添付ファイルの暗号化を解除するために復号処理を行う復号手段と、
前記ユーザのログイン要求を受け付ける受付手段と、
前記受付手段により受け付けたログイン要求に従って、前記復号手段により復号された添付ファイルを含むメール、または、復号していない添付ファイルを含むメールを前記ユーザに送信する送信手段と
を有することを特徴とする情報処理システム。
【請求項６】
メールに添付された暗号化された添付ファイルの暗号化を復号可能な情報処理装置における情報処理方法であって、
送信元アドレスに対応するパスワードが登録されるパスワードテーブルを管理する管理ステップと、
メールを受信するユーザの受信メールを取得する取得ステップと、
前記取得ステップにより取得された受信メールに添付ファイルが添付されている場合、当該添付ファイルが暗号化されているかを判定する判定ステップと、
前記判定ステップによる判定の結果、添付ファイルが暗号化されていると判定された場合、前記管理ステップにより管理されるパスワードテーブルから、当該暗号化された添付ファイルの送信元アドレスに対応するパスワードを抽出する抽出ステップと、
前記抽出ステップにより抽出されたパスワードを用いて、前記暗号化された添付ファイルの暗号化を解除するために復号処理を行う復号ステップと、
前記ユーザのログイン要求を受け付ける受付ステップと、
前記受付ステップにより受け付けたユーザ要求に従って、前記復号ステップにより復号された添付ファイルを含むメール、または、復号していない添付ファイルを含むメールを前記ユーザに送信する送信ステップと
を含むことを特徴とする情報処理方法。
【請求項７】
メールに添付された暗号化された添付ファイルの暗号化を復号可能な情報処理装置において実行可能なプログラムであって、
送信元アドレスに対応するパスワードが登録されるパスワードテーブルを管理する管理手段、
メールを受信するユーザの受信メールを取得する取得手段、
前記取得手段により取得された受信メールに添付ファイルが添付されている場合、当該添付ファイルが暗号化されているかを判定する判定手段、
前記判定手段による判定の結果、添付ファイルが暗号化されていると判定された場合、前記管理手段により管理されるパスワードテーブルから、当該暗号化された添付ファイルの送信元アドレスに対応するパスワードを抽出する抽出手段、
前記抽出手段により抽出されたパスワードを用いて、前記暗号化された添付ファイルの暗号化を解除するために復号処理を行う復号手段、
前記ユーザのログイン要求を受け付ける受付手段と、
前記受付手段により受け付けたログイン要求に従って、前記復号手段により復号された添付ファイルを含むメール、または、復号していない添付ファイルを含むメールを前記ユーザに送信する送信手段
として前記情報処理装置を機能させることを特徴とするプログラム。